(57)【要約】【課題】容易にかつ静かに旋回扉を移動させることができ、外観形状でも良好で、かつ安全であって出入り口用の旋回扉の開閉時に吊元側との間に形成される隙間をカバー部材で覆った旋回扉の指詰め防止装置を提供する。【解決手段】旋回扉２の開閉時に吊元側である固定枠３との間に形成される隙間４をカバー部材５で覆った旋回扉の指詰め防止装置１であり、旋回扉２をヒンジ部材７によって開閉可能に固定枠３に装着し、カバー部材５の一端をヒンジ部材７で上記旋回扉２に固定し、他端を該固定枠３に取付けたスライド機構１４に係合させ、旋回扉２の開閉運動に応じてカバー部材５を移動させつつ、カバー部材５を旋回扉２と固定枠３との間に形成される隙間４を常時覆うようにした。【選択図】　図３
2004060159.tif 000002
【特許請求の範囲】
【請求項１】
旋回扉の開閉時に吊元側である固定枠との間に形成される隙間をカバー部材で覆った旋回扉の指詰め防止装置であり、旋回扉をヒンジ部材によって開閉可能に固定枠に装着し、カバー部材の一端をヒンジ部材で上記旋回扉に固定し、他端を該固定枠に取付けたスライド機構に係合させ、旋回扉の開閉運動に応じてカバー部材を移動させつつ、カバー部材を旋回扉と固定枠との間に形成される隙間を常時覆うようにしたことを特徴とする旋回扉の指詰め防止装置。
【請求項２】
スライド機構が固定枠に装着したガイドレールにカバー部材の他端に設けた上部ガイドローラを係合して構造になっている請求項１記載の旋回扉の指詰め防止装置。
【請求項３】
カバー部材を下端に設けた下部ガイドローラを固定枠に当接する請求項１または２記載の旋回扉の指詰め防止装置。
【請求項４】
カバー部材は旋回扉に固定する側において先端を細くしたテーパー面になってなっている請求項１〜３の何れかに記載の旋回扉の指詰め防止装置。
【発明の詳細な説明】
【０００１】
【発明の属する技術分野】
本発明は旋回扉の指詰め防止装置に係り、一般住宅、建築物等の吊元側に取付けられた旋回扉、出入り口用の旋回扉の開閉時に吊元側との間に形成される隙間をカバー部材で覆った旋回扉の指詰め防止装置に関する。
【０００２】
【従来の技術】
一般住宅、建築物等の旋回扉は、出入り口の固定枠にヒンジ部材を介して取付けられて構成されており、該扉の開け閉めに際しては固定枠と旋回扉端部との間に間隙が生じる構造であり、この隙間に子供などが手を挟むなどして思わぬ怪我をする危険性があった。
【０００３】
このため、従来からこれを改善するものが提案されている。例えば、特開平１１−４４１５０号公報には、開き扉と固定側堅枠との間に形成されている隙間をカバー材で覆い、このカバ−材の基端部をヒンジ部によって固定側堅枠に取付け、カバー材に設けた係合部材を、開き扉の固定したガイド部材に係合し、常時隙間がカバー材で覆われた構造になっている。
【発明が解決しようとする課題】
しかし、従来の装置も旋回扉の開閉時に吊元側との間に形成される隙間をカバー部材で覆ったために、手を挟む事故を無くすことができるが、ガイド部材と係合部材の嵌合構造において軋み音は発生したり、がたつきが起りやすく、耐久性を改善する必要はあった。
【０００４】
本発明は、このような問題点を改善するもので、容易にかつ静かに旋回扉を移動させることができ、外観形状でも良好で、かつ安全であって出入り口用の旋回扉の開閉時に吊元側との間に形成される隙間をカバー部材で覆った旋回扉の指詰め防止装置を提供することを目的とする。
【０００５】
【課題を解決するための手段】
上記のような課題を解決するために請求項１記載の発明では、旋回扉の開閉時に吊元側である固定枠との間に形成される隙間をカバー部材で覆った旋回扉の指詰め防止装置であり、旋回扉をヒンジ部材を介して開閉可能に固定枠に装着し、カバー部材の一端をヒンジ部材で上記旋回扉に固定し、他端を該固定枠に取付けたスライド機構に係合させ、旋回扉の開閉運動に応じてカバー部材を移動させつつ、カバー部材を旋回扉と固定枠との間に形成される隙間を常時覆うようにした旋回扉の指詰め防止装置にあり、カバー部材をスライド機構によってスムーズにかつ静かに移動することができ、かつ旋回扉の外観も良好になる。
【０００６】
本願請求項２記載の発明では、スライド機構が固定枠に装着したガイドレールにカバー部材の他端にあってしかも上面に設けた上部ガイドローラを係合させた構造になっている旋回扉の指詰め防止装置にあり、カバー部材をスムーズに移動させることができる。
【０００７】
本願請求項３記載の発明では、カバー部材を下面に設けた下部補助ローラを固定枠に当接する旋回扉の指詰め防止装置にあり、カバー部材をスムーズに移動させることができる。
【０００８】
本願請求項４記載の発明では、カバー部材は旋回扉に固定する側において先端を細くしたテーパー面になってなっている旋回扉の指詰め防止装置にあり、旋回扉との接続部での隙間を小さくして指詰めを防止することができる。
【０００９】
【発明の実施の形態】
図１は本発明に係る旋回扉の指詰め防止装置の斜視図であり、図２は旋回扉の端面の斜視図であり、図３は図１の平面図であって旋回扉の開閉機構を示すものであり、図４は図３をＡ−Ａ方向から見た図である。
本発明に係る旋回扉の指詰め防止装置１は、旋回扉２の開閉時に吊元側である固定枠３との間に形成される隙間４を板状のカバー部材５で覆った指詰めを防止する装置であり、旋回扉２は基端面６がその上下の旋回扉用ヒンジ部材７（図中２つ）を介して固定枠３に装着し、開閉可能になっている。上記ヒンジ部材７はヒンジ板８とヒンジピン９からなっている。
【００１０】
カバー部材５は、木材、合板、合成樹脂などからなり、その一端面がヒンジ板１１とヒンジピン１２からなるカバー部材用ヒンジ部材１０（図中２つ）で上記旋回扉２に固定し、他端が該固定枠３に取付けたスライド機構１４に係合させ、旋回扉２の開閉運動に応じてカバー部材５を移動させつつ、カバー部材５を旋回扉２と固定枠３との間に形成される隙間４を常時覆うようになっている。
カバー部材５は旋回扉２に固定する側において先端を細くしたテーパー面２４になり、旋回扉２との接続部での隙間を小さくして指詰めを防止している。
【００１１】
スライド機構１４は固定枠３の上端部に固定した凹状のガイドレール１５に空転する１個の上部ガイドローラ１８を係合して、上部ガイドローラ１８を回転させながらガイドレール１５に沿って直線上を往復動し、カバー部材５の開閉角度を変えている。開時角度はガイドレール１５の長さに比例して大きくすることができる。
【００１２】
上記ガイドレール１５は箱状の上部部材１６と側部部材１７を組み合わせたものであり、側部部材１７は軸１９を中心にして旋回可能となり、上部部材１６に係止固定される。従って、上部ガイドローラ１８の移動代はガイドレール１４の長さに制限され、カバー部材５の開時角度も自由に調節できる。
【００１３】
一方、カバー部材５の下端面にも空転する１個の下部補助ローラ２０が装着され、該補助ローラ２０が固定枠３に装着した枠保護部材２１に当接してカバー部材５のスライドを正確にかつ容易にしている。
【００１４】
しかして、本発明の旋回扉の指詰め防止装置１では、旋回扉２はヒンジピン９を軸として開閉し、同時にカバー部材５もスライド機構１４の上部ガイドローラ１８を回転させながらガイドレール１４に沿って直線上に移動させ、かつ下部補助ローラ２０も枠保護部材２１に当接しながらスムーズにかつ静かに移動して開時する。これによってカバー部材５が旋回扉２と固定枠３との間に形成される隙間４を覆うように移動する。
また、旋回扉２を閉じる場合には、上部ガイドローラ１８をガイドレール１４に沿って復路方向へ移動させ、また下部補助ローラ２０を枠保護部材２１に当接させながら移動させ、そして停止部材２５に当接させ、閉じる。
【００１５】
【発明の効果】
以上のように本願請求項記載の発明では、旋回扉の開閉時に吊元側である固定枠との間に形成される隙間をカバー部材で覆った旋回扉の指詰め防止装置であり、旋回扉をヒンジ部材を介して開閉可能に固定枠に装着し、カバー部材の一端をヒンジ部材で上記旋回扉に固定し、他端を該固定枠に取付けたスライド機構に係合させ、旋回扉の開閉運動に応じてカバー部材を移動させつつ、カバー部材を旋回扉と固定枠との間に形成される隙間を常時覆うようにした旋回扉の指詰め防止装置にあり、カバー部材をスライド機構によってスムーズにかつ静かに移動することができ、かつ旋回扉の外観も良好になる。
【００１６】
また、スライド機構が固定枠に装着したガイドレールにカバー部材の他端にあってしかも上面に設けた上部ガイドローラを係合させた構造にすることにより、カバー部材をスムーズに移動させることができ、またカバー部材を下面に設けた下部補助ローラを固定枠に当接することによって、更にカバー部材をスムーズに移動させることができる。
【００１７】
また、カバー部材が旋回扉に固定する側において先端を細くしたテーパー面になっているため、旋回扉との接続部での隙間を小さくして指詰めを防止することができる。
【図面の簡単な説明】
【図１】本発明に係る旋回扉の指詰め防止装置の斜視図である。
【図２】旋回扉の端面の斜視図である。
【図３】図１の平面図であって旋回扉の開閉機構を示すものである。
【図４】図３をＡ−Ａ方向から見た図である。
【符号の説明】
１　　旋回扉の指詰め防止装置
２　　旋回扉
３　　固定枠
４　　隙間
５　　カバー部材
７　　旋回扉用ヒンジ部材
１０　　カバー部材用ヒンジ部材
１４　　スライド機構
１５　　ガイドレール
２０　　下部補助ローラ
【図１】
2004060159.tif 000003
【図２】
2004060159.tif 000004
【図３】
2004060159.tif 000005
【図４】
2004060159.tif 000006